(57)【特許請求の範囲】
【請求項１】
荷重を支えるための支持基材層と、
前記支持基材層の上に積層され、弾性変形可能なクッション層と、
前記クッション層の上に積層され、耐久性及び可撓性を有する表面層と、を備えた浴室用洗い場床であって、
前記クッション層は、前記表面層側に配置された第一クッション領域と、前記支持基材層側に配置された第二クッション領域と、前記第一クッション領域と前記第二クッション領域とに挟まれて配置された荷重分散領域とを有し、
前記荷重分散領域は、前記第一クッション領域から前記第二クッション領域に力を伝達する際に、力を伝える範囲がより広がるように伝達することを特徴とする浴室用洗い場床。
【請求項２】
前記荷重分散領域は、平板状を成すように形成されていることを特徴とする請求項１に記載の浴室用洗い場床。
【請求項３】
前記荷重分散領域は、前記表面層、前記第一クッション領域、及び前記第二クッション領域よりも面剛性が高くなるように形成されていることを特徴とする請求項１又は２に記載の浴室用洗い場床。
【発明の詳細な説明】
【技術分野】
【０００１】
本発明は、浴室用洗い場床に関する。
【背景技術】
【０００２】
浴室用洗い場床においては、安全性の観点から床面にクッション性を付与する構造が提案されている。そのような構造の一例として、ＦＲＰ等の樹脂材料からなる基材に対して、発泡層と、熱可塑性エラストマーからなる軟質材と、を順に積層し一体化した浴室用洗い場床が提案されている（例えば、下記特許文献１参照）。
【０００３】
確かに、下記特許文献１に記載されている浴室用洗い場床では、床面にクッション性を付与することが可能であって、安全性をより高めることに寄与するものと思われる。しかしながら、下記特許文献１に記載されている浴室用洗い場床では、単に床面の柔らかさを高めることでクッション性を付与しているため、発泡層や軟質材の柔らかさの度合によっては、摩耗、傷や穴があく等の損傷、へたりなど、床表面として求められる耐久性が不足することが懸念される。
【０００４】
このような懸念を解消しつつ、使用者に床面の柔らかさを感じさせることができる浴室用洗い場床が提案されている（例えば、下記特許文献２参照）。下記特許文献２に記載されている浴室用洗い場床は、荷重を支えるための支持基材層と、その支持基材層の上に積層され、弾性変形可能なクッション層と、そのクッション層の上に積層され、耐久性を有するとともに強度を確保するための厚肉部及び可撓性を付与するための薄肉部を有する表面層と、を備えるものである。この浴室用洗い場床においては、厚肉部は表面層上に荷重が加わった際に、荷重が加わった部分が局所的に変形しない程度の厚みを有している。
【先行技術文献】
【特許文献】
【０００５】
【特許文献１】特開２００１−２４５８１４号公報号公報
【特許文献２】特許４１７４７４１号公報
【発明の概要】
【発明が解決しようとする課題】
【０００６】
上記特許文献２に記載されている浴室用洗い場床では、支持基材層の上にクッション層が積層され、そのクッション層の上に表面層が積層されているので、表面層に耐久性を備えさせることで、柔らかさを備えつつ浴室の洗い場床として要求される耐久性を具備することができるものである。その表面層は、耐久性を有するとともに強度を確保するための厚肉部と、可撓性を付与するための薄肉部とによって構成されている。また、その厚肉部は、表面層上に荷重が加わった際に、その荷重が加わった部分が局所的に変形しないように作用するので、例えば使用者が足を乗せた場合には、上記特許文献の図４に示されているように、踏んだところを中心にしなやかに撓み、その近辺のみが沈み込むような柔らかい感覚を得ることができる。
【０００７】
上記特許文献２に記載されている浴室用洗い場床は上述のように、使用者が柔らかさを感じつつ、表面層の局所的な変形も抑制することができるものであるから、使用者が通常の入浴動作をしたり通常浴室に配置される浴室用椅子を使用したりといった場合には、従来にない非常に良好な使用感を与えることができ、浴室用の洗い場床に求められる基本的な性能も十分に達成することができる優れたものである。
【０００８】
しかしながら、浴室においては通常の入浴動作以外に、例えば浴室内の天井を掃除したり、天井に設けられている様々な機器のメンテナンスを行ったりする必要もある。その場合、通常はダイニング等に置かれている４本脚の椅子や脚立を洗い場床に乗せて、その椅子が脚立に使用者が乗って作業を行う場合がある。このように４本脚の椅子等を用いると、通常の使用状態よりも表面層に集中的な荷重が加わり、荷重点近傍における表面層の変形角が過度に大きくなるため、場合によっては凹状の跡がついてしまったり、亀裂が生じたりすることも想定される。一方で、４本脚の椅子や脚立を用いた場合にも凹状の跡がついてしまったり亀裂が生じたりしないようにするために、例えば表面層やクッション層の剛性を上げてしまうと、通常使用時の柔らかさが失われてしまうおそれがある。また、クッション層を薄くすることで表面層の変形に規制をかけることも考えられるけれども、クッション層が薄くなることで通常使用時においてクッション層が完全に潰れて支持基材層に底付きしてしまう感触が伝わってしまい、使用感の低下を招くおそれがある。
【０００９】
本発明はこのような課題に鑑みてなされたものであり、その目的は、洗い場床としての表面耐久性を具備しつつ使用者に柔らかさを感じさせることのできる浴室用洗い場床であって、４本脚の椅子等を用いた場合にも凹状の跡がついてしまったり亀裂が生じたりしないようにする浴室用洗い場床を提供することにある。
【課題を解決するための手段】
【００１０】
上記課題を解決するために本発明に係る浴室用洗い場床は、荷重を支えるための支持基材層と、前記支持基材層の上に積層され、弾性変形可能なクッション層と、前記クッション層の上に積層され、耐久性及び可撓性を有する表面層と、を備えた浴室用洗い場床であって、前記クッション層は、前記表面層側に配置された第一クッション領域と、前記支持基材層側に配置された第二クッション領域と、前記第一クッション領域と前記第二クッション領域とに挟まれて配置された荷重分散領域とを有し、前記荷重分散領域は、前記第一クッション領域から前記第二クッション領域に力を伝達する際に、力を伝える範囲がより広がるように伝達することを特徴とする。
【００１１】
本発明によれば、支持基材層とクッション層と表面層とを備え、支持基材層の上にクッション層を積層し、クッション層の上に表面層を積層しているので、表面層上に使用者が載ったり物を載せたりした場合の荷重を、クッション層を介して支持基材層によって支えることができる。クッション層は弾性変形可能なように構成されているので、表面層上に載っている使用者に対して柔らかな感触を与えることができ、その弾性変形度合を調整することで使用者にとって心地よい柔らかさを提供することができる。表面層は耐久性及び可撓性を有するように構成されているので、浴室用洗い場床としての表面耐久性を具備しつつ、表面層上に載った使用者の荷重をクッション層に伝えて撓むことができる。
【００１２】
更に本発明では、表面層側の第一クッション領域と支持基材層側の第二クッション領域との間に荷重分散領域が形成され、その荷重分散領域は、第一クッション領域から第二クッション領域に力を伝達する際に、力を伝える範囲がより広がるように伝達する。このように構成することで荷重分散領域の荷重分散効果を効果的に発揮させることができ、例えば使用者が表面層上に載った場合に第一クッション領域が主として変形して底付きし、第二クッション領域は従たる変形を成して完全には押し潰されていない部分を残すことができる。従って、使用者に表面層を介してクッション層には変形する残り代があることを感じさせることができ、例えば使用者が更に力を入れて踏み込んだような場合であっても、仮に第一クッション領域が完全に押し潰されても、第二クッション領域は広範囲で荷重を受けている分、完全に押し潰されていないため、残りの第二クッション領域を変形させることで、使用者に完全なる底付き感を感じさせることがなく、心地良い踏み心地を感じさせることができる。
【００１３】
一方、４本脚の椅子や脚立を用いた場合には、総重量が同じであっても接地面積が狭いため集中荷重が表面層に作用する。この場合には第一クッション領域も第二クッション領域も共に変形するけれども、第一クッション領域と第二クッション領域との変形割合を異ならせているため、先に第一クッション領域が完全に押し潰され、第二クッション領域には変形する余地が残ることになる。本発明では、クッション層を第一クッション領域と第二クッション領域とを鉛直方向において重ねることで形成しているので、全体の厚みよりも第一クッション領域の厚みも第二クッション領域の厚みも薄くなるように構成している。従って、第一クッション領域が完全に押し潰された状態であっても、第一クッション領域の厚みがクッション層の厚みよりも薄いことと表面層の荷重分散効果とによって、第二クッション領域は広範囲で荷重を受けている分、完全に押し潰されていないため、４本脚の椅子や脚立を用いた場合の荷重点近傍における表面層の変形角が過度に大きくならないようにすることができ、表面層の過度の凹みを防止することができ、結果として表面層に亀裂が生じることを抑制できる。更に、第一クッション領域が変形した後であっても変形する余地が残っている第二クッション領域の厚みもクッション層の厚みよりも薄いことと、第一クッション領域の変形角緩和効果と、荷重分散領域の荷重分散効果とによって、４本脚の椅子や脚立を用いた場合の荷重点近傍における表面層の変形角が過度に大きくならないようにすることができ、表面層における過度の局所的な凹みを防止することができ、表面層に亀裂が生じることをより効果的に抑制できる。従って、使用者が載った場合には柔らかい使用感を感じさせることができる機能は維持しつつ、４本脚の椅子や脚立を用いた場合には凹状の跡がついてしまったり亀裂が生じたりしないようにすることが可能な浴室用洗い場床を提供することができる。
【００１４】
また本発明に係る浴室用洗い場床では、前記荷重分散領域が平板状を成すように形成されていることも好ましい。
【００１５】
この好ましい態様では、荷重分散領域が平板状に形成されているので、第一クッション領域及び第二クッション領域の間において表面層と沿うように配置することができ、表面層に加わる力を第一クッション領域から第二クッション領域へとより広範囲に広がるように伝達することができる。
【００１６】
また本発明に係る浴室用洗い場床では、前記荷重分散領域は、前記表面層、前記第一クッション領域、及び前記第二クッション領域よりも面剛性が高くなるように形成されていることも好ましい。
【００１７】
この好ましい態様では、荷重分散領域の面剛性を他の部分よりも高くなるように構成しているので、面を貫く方向に加わる外力を面に沿った方向に分散することができ、表面層に加わる力を第一クッション領域から第二クッション領域へとより広範囲に広がるように伝達することができる。
【発明の効果】
【００１８】
本発明によれば、洗い場床としての表面耐久性を具備しつつ使用者に柔らかさを感じさせることのできる浴室用洗い場床であって、４本脚の椅子等を用いた場合にも凹状の跡がついてしまったり亀裂が生じたりしないようにする浴室用洗い場床を提供することができる。
【図面の簡単な説明】
【００１９】
【図１】本発明の実施形態に係る浴室用洗い場床を用いた浴室を示す部分断面図である。
【図２】本発明の実施形態に係る浴室用洗い場床を示す斜視図である。
【図３】本発明の実施形態に係る浴室用洗い場床の部分断面図である。
【図４】本発明の実施形態に係る浴室用洗い場床に集中荷重が作用した状態を示す部分断面図である。
【図５】本発明の実施形態に係る浴室用洗い場床に非集中荷重が作用した状態を示す部分断面図である。
【発明を実施するための形態】
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
本発明の実施形態に係る浴室用洗い場床を用いた浴室について、図１を参照しながら説明する。図１は、本発明の実施形態に係る浴室用洗い場床ＦＰを用いた浴室ＢＲを示す部分断面図であって、浴室ＢＲの洗い場領域における部分断面図である。図１に示すように、浴室ＢＲは、浴室用洗い場床ＦＰの周囲に壁パネル５０が立設されている。
【００２２】
浴室用洗い場床ＦＰは、硬質の支持基材層１０と、支持基材層１０の上に積層されたクッション性を有するクッション層４と、クッション層４の上に積層された表面層５とを備えている。
【００２３】
支持基材層１０は、浴室外に湯水を漏出させない防水性、および壁パネル５０、天井パネル、風呂椅子、洗面器などの静荷重、使用者の動荷重を受けても大きく撓んだり破損したりしない十分な強度を有する硬質材料から形成されている。例えば、ＦＲＰ（Ｆｉｂｅｒ  Ｒｅｉｎｆｏｒｃｅｄ  Ｐｌａｓｔｉｃ）等の熱硬化性樹脂、あるいはポリプロピレン、ポリエチレン等の熱可塑性樹脂に補強を施したものから形成されている。
【００２４】
支持基材層１０には縦断面視で凹状に形成される凹部２が設けられている。凹部２は支持基材層１０の上面視における大部分の面積を占め、凹部２より外方側には凹部２の上面（底面）よりも一段高くされた縁部６が設けられている。縁部６よりも外方側であって支持基材層１０の最外縁部には、上方に立ち上がった水返し壁として機能する側壁部８が設けられている。
【００２５】
支持基材層１０は硬質材を熱間成型することにより一体成形され、よって、凹部２、縁部６および側壁部８は一体に形成される。
【００２６】
クッション層４は、支持基材層１０の凹部２に全体が収容され、凹部２の上面（底面）に例えば両面テープ等の接着剤により接着固定される。クッション層４は、弾性変形可能であり、例えばウレタン等の発泡体からなる。なお、クッション層４は弾性変形可能なゴム材であっても構わないが、ゴム臭のない発泡体の方が気密性の高い浴室の洗い場床として利用するには好ましい。本実施形態では、クッション層４を機能的に少なくとも二つの領域からなるように構成しており、その詳細については後述する。
【００２７】
表面層５は、耐水性、耐薬品性、耐摩耗性、耐衝撃性など、洗い場床表面に要求される基本性能（耐久性）を満足するべく比較的硬質で強靱な材料から形成されている。そのような表面層５の材料としては、ＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが一例として挙げられる。これら材料は一例であって、その他、表面層５の材料としては、ある程度の可撓性を有する材料で、且つ浴室の一般的な使用に際し十分な耐久性を有するべく強靱な材料であればよく、前述したものに限られない。なお、特に、洗い場床材に要求される基本性能発揮に実績のあるＦＲＰを表面層５に用いることで信頼性の高い製品を提供することができる。
【００２８】
表面層５の詳細構造について図２を参照しながら説明する。図２は、浴室用洗い場床ＦＰの斜視図である。図３に示すように、表面層５は、洗い場床の表面強度を確保するための厚肉部５ａと、クッション層４の変形に追従可能な可撓性を表面層５に付与するための薄肉部５ｂとを有する。表面層５における浴室内に露出される表面側から切り込まれた溝１２を形成することによって、厚肉部５ａと薄肉部５ｂとが形成される。溝１２は、下層のクッション層４には達しておらず、溝１２は表面層５を完全に分断してはいない。
【００２９】
薄肉部５ｂは溝１２の下に位置し、薄肉部５ｂの厚みは、厚肉部５ａの厚みよりも薄い。溝１２及びその下に位置する薄肉部５ｂは、表面層５の全体に渡って格子状に形成され、厚肉部５ａは、溝１２及び薄肉部５ｂで囲まれた島状に形成されている。
【００３０】
溝１２を凹状断面視で見た場合における薄肉部５ｂの幅は、同じ断面視における厚肉部
５ａの幅よりも小さい。表面層５全体における、厚肉部５ａの平面面積は薄肉部５ｂの平
面面積よりも大きい。
【００３１】
再び図１を参照すると、表面層５は、クッション層４の上面及び凹部２を覆うようにクッション層４に積層される。表面層５の平面サイズは、クッション層４の平面サイズより大きく（縦横ともに長く形成されている）、表面層５においてクッション層４からはみ出る周縁部は、クッション層４を介さずに支持基材層１０の縁部６の上面に積層される。表面層５において上記溝１２が形成された面の反対側の裏面は、例えば両面テープ等の接着材で、クッション層４の上面及び支持基材層１０の縁部６の上面に接着固定される。
【００３２】
表面層５はクッション層４より薄い。表面層５の平面サイズは、支持基材層１０全体の平面サイズより小さく（縦横ともに短く形成されている）且つ凹部２の平面サイズより大きい（縦横ともに長く形成されている）。
【００３３】
支持基材層１０、クッション層４および表面層５の積層構造を得るにあたっては、それらを一体に熱間成型することにより相互に溶着固定させてもよいし（インサート及びラミネート成形）、支持基材層１０の成型加工後に、その凹部２の上面（底面）に対してクッション層４を例えば両面テープ等の接着剤を用いて貼り付け、さらにそのクッション層４の表面に例えば両面テープ等の接着剤を用いて表面層５を貼り付けてもよい。
【００３４】
支持基材層１０の凹部２より外方側に配置される表面層５の周縁部は、例えばシリコンや目地部材等のシーリング材１１で水密的にシールされ、表面層５と支持基材層１０との間への水の浸入が防止されている。
【００３５】
表面層５の周縁部より外方側における支持基材層１０の縁部６の上面には、壁パネル５０が載置されている。シーリング材１１は、表面層５の周縁部と支持基材層１０との間、および壁パネル５０と支持基材層１０との間を兼用して水密的にシールする。
【００３６】
前述したようにクッション層４の表面側に表面層５を積層した構造においては、使用者は表面層５に触れることになるがその使用者にクッション層４の機能（柔らかさ）を感じさせるようにするため、表面層５にはクッション層４の変形に追従可能な可撓性が求められる。
【００３７】
本実施形態では、耐久性を具備すべく硬質の表面層５としても、その表面層５の厚みが面方向に均一ではなく、厚肉部５ａと薄肉部５ｂとを有する構造としたため、クッション層４の変形に追従させて表面層５をしなやかに撓ませることができクッション層４のやわらかさを使用者に伝達することが可能なものとなっている。
【００３８】
続いて、クッション層４の詳細な構成について図３を参照しながら説明する。図３は、浴室用洗い場床ＦＰの部分断面図である。図３に示すように、クッション層４は、第一クッション層４ａ（第一クッション領域）と、第二クッション層４ｂ（第二クッション領域）とが鉛直方向において重なるように積層することで構成されている。更に、第一クッション層４ａと第二クッション層４ｂとの間にはセパレータ４ｃ（荷重分散領域）が設けられている。
【００３９】
第二クッション層４ｂは、表面層５上に荷重が加わった際に支持基材層１０との間に挟まれて圧縮変形され、その圧縮変形される際の基準荷重に対する縮み量が第一量である層である。本実施形態の場合、基準荷重は使用者として想定される体重に基づいて算出され、使用者が表面層５上に載った場合に、第二クッション層４ｂが略潰される程度に変形し、その縮み量である第一量が第二クッション層４ｂの厚みと略同一となるように設定されている。
【００４０】
第一クッション層４ａは、表面層５上に荷重が加わった際に支持基材層１０との間に挟まれて圧縮変形され、その圧縮変形される際の基準荷重に対する縮み量が第二量である層である。本実施形態の場合、第二量は前述した第一量と同等になるように設定されている。本実施形態の場合には第一量と第二量とが同等になるように設定しているけれども、第二量が第一量よりも少なくなるように設定してもよく、逆に第二量が第一量よりも多くなるように設定してもよい。いずれにしても、表面層５に荷重が加わった際に、先に第一クッション層４ａが潰され、第一クッション層４ａに加わった力がセパレータ４ｃによって拡散され第二クッション層４ｂも同時に圧縮変形されるが、その変形割合が第一クッション層４ａとは異なる（変形する余地が残る）ように設定されることが好ましい。
【００４１】
セパレータ４ｃは、第一クッション層４ａ及び第二クッション層４ｂに比較して硬く変形し難い材料によって構成されており、好ましくは鉄板等が用いられる。荷重分散領域としてのセパレータ４ｃは、第一クッション層４ａから第二クッション層４ｂに力を伝達する際に、力を伝える範囲がより広がるように伝達している。従って、表面層５のみならずこのセパレータ４ｃにおいても荷重分散効果を発揮することができ、４本脚の椅子や脚立を用いた場合の荷重点近傍における表面層５の変形角が過度に大きくならないようにすることができるので、表面層５における過度の局所的な凹みを防止し、結果として表面層に亀裂が生じることを抑制できる。
【００４２】
このようにクッション層４を構成した場合に、表面層５上に４本脚の椅子が載せられて集中荷重が作用した例を図４に示し、表面層５上に使用者が載って非集中荷重が作用した例を図５に示す。
【００４３】
本実施形態における浴室用洗い場床ＦＰは、支持基材層１０とクッション層４と表面層５とを備え、支持基材層１０の上にクッション層４を積層し、クッション層４の上に表面層５を積層しているので、表面層５上に使用者が載ったり物を載せたりした場合の荷重を、クッション層４を介して支持基材層１０によって支えることができる。クッション層４は弾性変形可能なように構成されているので、表面層５上に載っている使用者に対して柔らかな感触を与えることができ、その弾性変形度合を調整することで使用者にとって心地よい柔らかさを提供することができる。表面層５は耐久性及び可撓性を有するように構成されているので、浴室用洗い場床としての表面耐久性を具備しつつ、表面層５上に載った使用者の荷重をクッション層に伝えて撓むことができる。
【００４４】
本実施形態では、表面層５に荷重が加わると、溝１２（図２参照）及びその下の薄肉部５ｂ（図２参照）が節となって断面凹状に撓む。このため、硬質の表面層５であっても、表面層５がつっぱって撓みを抑制するようなことがなく、踏んだところを中心にしなやかに撓み、その近辺のみが沈み込むようなやわらかい感覚を得ることができる。
【００４５】
表面層５にしなやかな可撓性を付与する役割を担う薄肉部５ｂ（図２参照）は、表面層５の表面全体に渡って格子状に形成されているため、すなわち表面層５の表面上縦横に変形の節となる薄肉部５ｂが偏在することなく分散配置され、床面上のどの部分に荷重がかかっても、変形の方向に指向性が生ずることなく、踏んだところを面上全方位的に違和感なくくぼませることができる。
【００４６】
更に本実施形態では、表面層５側の第一クッション層４ａと支持基材層１０側の第二クッション層４ｂとの間に荷重分散領域であるセパレータ４ｃが配置され、その荷重分散領域としてのセパレータ４ｃは、第一クッション層４ａから第二クッション層４ｂに力を伝達する際に、力を伝える範囲がより広がるように伝達する。このように構成することでセパレータ４ｃの荷重分散効果を効果的に発揮させることができ、図５に示すように、使用者の足２２が表面層５上に載った場合に第一クッション層４ａが主として先に潰れて底付きし、第二クッション層４ｂは従たる変形を成して完全には押し潰されていない部分を残すことができる。従って、使用者に表面層５を介してクッション層４には変形する残り代（第二クッション層４ｂ）があることを感じさせることができ、例えば使用者が更に力を入れて踏み込んだような場合であっても、残りの第二クッション層４ｂを変形させることで、使用者に完全なる底付き感を感じさせることがなく、心地良い踏み心地を感じさせることができる。
【００４７】
一方、図４に示すように４本脚の椅子を用いた場合には、総重量が同じであっても椅子脚２０の接地面積が狭いため集中荷重が表面層５に作用する。この場合には第一クッション層４ａが即座に変形するものであって、第一クッション層４ａが完全に押し潰された後に第二クッション層４ｂが変形することになる。本実施形態では、クッション層４を第一クッション層４ａと第二クッション層４ｂとを鉛直方向において重ねることで形成しているので、全体の厚みよりも第一クッション層４ａの厚みも第二クッション層４ｂの厚みも薄くなるように構成している。従って、第一クッション層４ａが完全に押し潰された状態であっても、第一クッション層４ａの厚みがクッション層４の厚みよりも薄いことと表面層５の荷重分散効果とによって、椅子脚２０の荷重点近傍における表面層５の変形角が過度に大きくならないようにすることができ、表面層５の過度の凹みを防止することができ、結果として表面層５に亀裂が生じることを抑制できる。
【００４８】
更に、第一クッション層４ａが変形した後に変形する第二クッション層４ｂの厚みもクッション層４の厚みよりも薄いことと、第一クッション層４ａ及びセパレータ４ｃの変形角緩和効果によって、椅子脚２０の荷重点近傍における表面層５の変形角が過度に大きくならないようにすることができ、表面層５における過度の局所的な凹みを防止することができ、表面層５に亀裂が生じることをより効果的に抑制できる。従って、使用者が載った場合には柔らかい使用感を感じさせることができる機能は維持しつつ、４本脚の椅子や脚立を用いた場合には凹状の跡がついてしまったり亀裂が生じたりしないようにすることが可能な浴室用洗い場床を提供することができる。
【００４９】
更に本実施形態では、荷重分散領域を平板状のセパレータ４ｃによって形成しているので、第一クッション層４ａ及び第二クッション層４ｂの間において表面層５と沿うように配置することができ、表面層５に加わる力を第一クッション層４ａから第二クッション層４ｂへとより広範囲に広がるように伝達することができる。
【００５０】
更に本実施形態では、セパレータ４ｃとして鉄板を用いて面剛性を他の部分よりも高くなるように構成しているので、面を貫く方向に加わる外力を面に沿った方向に分散することができ、表面層５に加わる力を第一クッション層４ａから第二クッション層４ｂへとより広範囲に広がるように伝達することができる。
【符号の説明】
【００５１】
２：凹部
４：クッション層
４ａ：第一クッション層
４ｂ：第二クッション層
４ｃ：セパレータ
５：表面層
５ａ：厚肉部
５ｂ：薄肉部
５ｃ：薄肉部
６：縁部
８：側壁部
１０：支持基材層
１１：シーリング材
１２：溝
５０：壁パネル
ＢＲ：浴室
ＦＰ：浴室用洗い場床
２０：椅子脚
２２：足
【図１】
0005440134.tif 000002
【図２】
0005440134.tif 000003
【図３】
0005440134.tif 000004
【図４】
0005440134.tif 000005
【図５】
0005440134.tif 000006